(57)【特許請求の範囲】
【請求項１】
送信信号を衛星通信装置に転送する送信部と、
前記送信信号が前記衛星通信装置を介して相手方端末から転送された受信信号に含まれて受信される時、前記受信信号に含まれた送信信号を推定するための帯域拡散信号を発生し、前記帯域拡散信号を前記衛星通信装置に転送する帯域拡散信号発生部と、
前記衛星通信装置から受信された帯域拡散信号を受信する第１受信部と、
前記衛星通信装置を介して前記相手方端末から転送された受信信号を受信する第２受信部と、
前記送信部によって転送された前記送信信号、前記帯域拡散信号発生部によって転送された前記帯域拡散信号、前記衛星通信装置から受信された帯域拡散信号に基づき、前記相手方端末から転送された受信信号に含まれた送信信号を推定する信号推定部と、
前記相手方端末から転送された受信信号成分から前記信号推定部によって推定された送信信号を除去する信号除去部と、を含み、
前記帯域拡散信号発生部によって転送された前記帯域拡散信号及び前記衛星通信装置から受信された帯域拡散信号は、直交成分の信号であり、
前記信号推定部は、
前記帯域拡散信号発生部によって転送された前記帯域拡散信号に基づき、前記衛星通信装置から受信された帯域拡散信号の時間遅延値、周波数オフセット値、位相オフセット値及び利得（ゲイン）を含む通信誤差パラメータを抽出して、抽出された前記通信誤差パラメータを前記送信部によって転送された送信信号に適用することにより、前記相手方端末から転送された受信信号に含まれた送信信号を推定することを特徴とする信号復元装置。
【請求項２】
前記信号推定部は、
前記時間遅延値、前記周波数オフセット値、前記位相オフセット値及び前記利得（ゲイン）を含む前記通信誤差パラメータを抽出するパラメータ抽出部と、
前記時間遅延値によって、前記送信部によって転送された前記送信信号を遅延させる遅延モジュールと、
前記周波数オフセット値及び位相オフセット値によって、前記遅延モジュールで遅延された前記送信信号の周波数および位相を変調する変調モジュールと、
前記利得によって、前記変調モジュールで変調された前記送信信号の利得を調節し、前記利得調節された送信信号を前記相手方端末から転送された受信信号に含まれた送信信号として出力する利得調節モジュールと、を含むことを特徴とする、請求項１に記載の信号復元装置。
【請求項３】
送信部を介して送信信号を衛星通信装置に転送するステップと、
前記送信信号が前記衛星通信装置を介して相手方端末から転送された受信信号に含まれて受信される時、前記受信信号に含まれた送信信号を推定するための帯域拡散信号を発生し、前記帯域拡散信号を前記衛星通信装置に転送するステップと、
前記衛星通信装置から受信された帯域拡散信号を受信するステップと、
前記衛星通信装置を介して前記相手方端末から転送された受信信号を受信するステップと、
前記送信部によって転送された前記送信信号、前記発生した帯域拡散信号、前記衛星通信装置から受信された帯域拡散信号に基づき、前記相手方端末から転送された受信信号に含まれた送信信号を推定するステップと、
前記相手方端末から転送された受信信号成分から前記推定された送信信号を除去するステップと、を含み、
前記衛星通信装置に転送された前記帯域拡散信号及び前記衛星通信装置から受信された帯域拡散信号は、直交成分の信号であり、
前記相手方端末から転送された受信信号に含まれた送信信号を推定するステップは、
前記衛星通信装置に転送された前記帯域拡散信号に基づき、前記衛星通信装置から受信された帯域拡散信号の時間遅延値、周波数オフセット値、位相オフセット値及び利得（ゲイン）を含む通信誤差パラメータを抽出して、抽出された前記通信誤差パラメータを前記送信部によって転送された送信信号に適用することにより、前記相手方端末から転送された受信信号に含まれた送信信号を推定するステップを含むことを特徴とする信号復元方法。
【請求項４】
前記相手方端末から転送された受信信号に含まれた送信信号を推定するステップは、
前記時間遅延値、前記周波数オフセット値、前記位相オフセット値及び前記利得（ゲイン）を含む前記通信誤差パラメータを抽出するステップと、
前記時間遅延値によって、前記送信部によって転送された前記送信信号を遅延させるステップと、
前記周波数オフセット値及び位相オフセット値によって、前記遅延させるステップで遅延された前記送信信号の周波数および位相を変調するステップと、
前記利得によって、前記変調するステップで変調された前記送信信号の利得を調節し、前記利得調節された送信信号を前記相手方端末から転送された受信信号に含まれた送信信号として出力するステップと、を含むことを特徴とする、請求項３に記載の信号復元方法。
【発明の詳細な説明】
【技術分野】
【０００１】
本発明は信号復元装置およびその方法に関する。
【背景技術】
【０００２】
一般的に、衛星通信装置を介して第１端末の第１送信信号と第２端末の第２送信信号の使用周波数帯域を共有することにより、前記第１端末の第１送信信号と前記第２端末の第２送信信号が互いに混ざるようになる。
【０００３】
図１は、従来技術により、衛星通信装置を介して信号を送信および受信する過程を示す例示図である。
図１に示すように、前記第１端末は、衛星通信装置を介して前記第２端末の第２送信信号を受信する時、自身の送信信号である第１送信信号（ｕ１）を前記第２端末の第２送信信号（ｕ２）と共に衛星通信装置を介して受信する。
【０００４】
前記第２端末は、衛星通信装置を介して前記第１端末の第１送信信号（ｕ１）を受信する時、自身の送信信号である第２送信信号（ｕ２）を前記第１端末の第１送信信号と共に衛星通信装置を介して受信する。すなわち、各端末は相手方端末の送信信号と自身の送信信号が混ざった歪曲された信号（ｕ’１＋ｕ’２）を衛星通信装置を介して受信するようになる。
【発明の概要】
【発明が解決しようとする課題】
【０００５】
本発明の目的は、衛星通信装置を介して相手方端末から転送された受信信号から自身の送信信号を推定し、その推定した送信信号を除去することにより、相手方端末の受信信号を復元することができる信号復元装置およびその方法を提供することにある。
【０００６】
本発明の他の目的は、衛星通信装置を介して相手方端末から転送された受信信号から自身の送信信号を推定し、その推定した送信信号を除去することにより、周波数帯域効率を増加させることができる信号復元装置およびその方法を提供することにある。
【課題を解決するための手段】
【０００７】
前記目的を達成するための本発明の実施形態による信号復元装置は、送信信号を衛星通信装置に転送する送信部と；帯域拡散信号を前記衛星通信装置に転送する帯域拡散信号発生部と；前記送信信号および前記帯域拡散信号に基づき、前記衛星通信装置を介して相手方端末から転送された受信信号に含まれた前記送信信号を推定する信号推定部と；前記受信信号から前記推定した送信信号を除去する信号除去部とを含むことができる。
【０００８】
前記目的を達成するための本発明の実施形態による信号復元装置は、送信信号を衛星通信装置に転送する送信部と；前記送信信号が前記衛星通信装置を介して相手方端末から転送された受信信号に含まれて受信される時、前記受信信号に含まれた送信信号を推定するための帯域拡散信号を発生し、前記帯域拡散信号を前記衛星通信装置に転送する帯域拡散信号発生部と；前記衛星通信装置から受信された帯域拡散信号を受信する第１受信部と；前記衛星通信装置を介して前記相手方端末から転送された受信信号を受信する第２受信部と；前記送信部によって転送された前記送信信号、前記帯域拡散信号発生部によって転送された前記帯域拡散信号、前記衛星通信装置から受信された帯域拡散信号に基づき、前記相手方端末から転送された受信信号に含まれた送信信号を推定する信号推定部と；前記相手方端末から転送された受信信号成分から前記信号推定部によって推定された送信信号を除去する信号除去部とを含むことができる。
【０００９】
本発明と関連した一例として、前記信号推定部は、前記帯域拡散信号発生部によって発生した前記帯域拡散信号を基準に前記衛星通信装置から受信された帯域拡散信号のパラメータを推定し、前記推定されたパラメータを前記送信部によって転送された送信信号に適用することにより、前記相手方端末から転送された受信信号に含まれた送信信号を推定することができる。
【００１０】
本発明と関連した一例として、前記信号推定部は、前記衛星通信装置により、遅延成分、周波数、位相、利得が反映された送信信号成分を推定することができる。
【００１１】
本発明と関連した一例として、前記信号除去部は、前記相手方端末から転送された受信信号から前記推定された送信信号を相殺することにより、前記推定された送信信号が除去された受信信号を出力することができる。
【００１２】
本発明と関連した一例として、前記信号推定部は、前記帯域拡散信号発生部によって発生した前記帯域拡散信号を基準に前記衛星通信装置から受信された帯域拡散信号のパラメータを抽出するパラメータ抽出部と；前記パラメータ内の時間遅延値に応じ、前記送信部によって転送された前記送信信号を遅延させる遅延モジュールと；前記パラメータ内の周波数および位相オフセット値に応じ、前記遅れた送信信号の周波数および位相を変調する変調モジュールと；前記パラメータ内の利得に応じて前記周波数および衛星変調した送信信号の利得を調節し、前記利得調節された送信信号を前記相手方端末から転送された受信信号に含まれた送信信号として出力する利得調節モジュールとを含むことができる。
【００１３】
本発明と関連した一例として、前記帯域拡散信号は直交成分の信号であってもよい。
【００１４】
前記目的を達成するための本発明の実施形態による信号復元方法は、送信部を介して送信信号を衛星通信装置に転送するステップと；帯域拡散信号を発生し、前記発生した帯域拡散信号を前記衛星通信装置に転送するステップと；前記送信信号および前記帯域拡散信号に基づき、前記衛星通信装置を介して相手方端末から転送された受信信号に含まれた前記送信信号を推定するステップと；前記受信信号から前記推定した送信信号を除去するステップとを含むことができる。
【００１５】
前記目的を達成するための本発明の実施形態による信号復元方法は、送信部を介して送信信号を衛星通信装置に転送するステップと；前記送信信号が前記衛星通信装置を介して相手方端末から転送された受信信号に含まれて受信される時、前記受信信号に含まれた送信信号を推定するための帯域拡散信号を発生し、前記帯域拡散信号を前記衛星通信装置に転送するステップと；前記衛星通信装置から受信された帯域拡散信号を受信するステップと；前記衛星通信装置を介して前記相手方端末から転送された受信信号を受信するステップと；前記送信部によって転送された前記送信信号、前記発生した帯域拡散信号、前記衛星通信装置から受信された帯域拡散信号に基づき、前記相手方端末から転送された受信信号に含まれた送信信号を推定するステップと；前記相手方端末から転送された受信信号成分から前記推定された送信信号を除去するステップとを含むことができる。
【発明の効果】
【００１６】
本発明の実施形態による端末の信号復元装置は、衛星通信装置を介して相手方端末から転送された受信信号から自身の送信信号を推定し、その推定した送信信号を除去することにより、相手方端末の受信信号を復元できる効果がある。
【００１７】
本発明の実施形態による端末の信号復元装置は、衛星通信装置を介して相手方端末から転送された受信信号から自身の送信信号を推定し、その推定した送信信号を除去することにより、周波数帯域効率を増加させられる効果もある。
【図面の簡単な説明】
【００１８】
【図１】従来技術により、衛星通信装置を介して信号を送信および受信する過程を示す例示図である。
【図２】本発明の実施形態による信号復元装置の構成図である。
【図３】本発明の実施形態による信号推定部の具体的な構成を示す構成図である。
【図４】本発明の実施形態による信号復元方法を示すフローチャートである。
【発明を実施するための形態】
【００１９】
以下、衛星通信装置を介して相手方端末から転送された受信信号から自身の送信信号を推定し、その推定した送信信号を除去することによって相手方端末の受信信号を復元することができ、周波数帯域効率を増加させられる信号復元装置およびその方法の実施形態を図１〜図４を参照して説明する。
【００２０】
本発明の実施形態による信号復元装置およびその方法は、移動通信端末、テレマティックス端末、ナビゲーション装置のような移動端末に適用されるだけでなく、スマートフォン（ｓｍａｒｔ  ｐｈｏｎｅ）、ノート型パソコン（ｎｏｔｅｂｏｏｋ  ｃｏｍｐｕｔｅｒ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ポータブル端末（Ｐｏｒｔａｂｌｅ  Ｔｅｒｍｉｎａｌ）、モバイル端末（Ｍｏｂｉｌｅ  Ｔｅｒｍｉｎａｌ）、ワイブロ（Ｗｉｂｒｏ）端末、ＩＰＴＶ（Ｉｎｔｅｒｎｅｔ  Ｐｒｏｔｏｃｏｌ  Ｔｅｌｅｖｉｓｉｏｎ）端末、テレビ（Ｔｅｌｅｖｉｓｉｏｎ）、ナビゲーション（Ｎａｖｉｇａｔｉｏｎ）端末、ＡＶＮ（Ａｕｄｉｏ  Ｖｉｄｅｏ  Ｎａｖｉｇａｔｉｏｎ）端末などのように様々な端末に適用することもできる。
【００２１】
図２は、本発明の実施形態による信号復元装置の構成図である。
図２に示すように、本発明の実施形態による端末の信号復元装置１００は、送信信号（ｕ１）を発生し、その発生した送信信号（ｕ１）を衛星通信装置（衛星）に転送する送信部１０１と；前記送信信号（ｕ１）が前記衛星通信装置を介して相手方端末から転送された受信信号（ｕ’１＋ｕ’２）に含まれて受信される時、前記受信信号（ｕ’１＋ｕ’２）に含まれた送信信号（ｕ’１）（送信信号成分）を推定するための帯域拡散信号（Ｄｉｒｅｃｔ  Ｓｅｑｕｅｎｃｅ方式）（ｓ１）を発生し、前記帯域拡散信号（ｓ１）を前記衛星通信装置に転送する帯域拡散信号発生部１０２と；前記衛星通信装置から転送された帯域拡散信号（帯域拡散信号成分）（ｓ’１）を受信する第１受信部１０３と；前記衛星通信装置を介して前記相手方端末から転送された受信信号（ｕ’１＋ｕ’２）を受信する第２受信部１０４と；前記送信信号（ｕ１）、前記帯域拡散信号（ｓ１）、前記衛星通信装置から受信された帯域拡散信号（ｓ’１）に基づき、前記衛星通信装置を介して前記相手方端末から転送された受信信号（ｕ’１＋ｕ’２）に含まれた送信信号（送信信号成分）（ｕ’１）を推定する信号推定部１０５と；前記相手方端末から転送された受信信号成分（ｕ’１＋ｕ’２）から前記信号推定部１０５によって推定された送信信号成分（ｕ’１）を除去することにより、前記相手方端末から転送された受信信号成分（ｕ’１＋ｕ’２）のうちの受信信号（ｕ’２）だけを出力する信号除去部１０６とから構成される。前記信号除去部１０６によって出力された受信信号（ｕ’２）は、復調部３００を介して一般的な復調過程を経てスピーカーに出力される（相手方音声データ、ユーザ２データ）。前記送信部１０１は、ユーザ音声データ（ユーザ１データ）を変調部２００を介して一般的な変調過程を経て前記送信信号を発生および転送する。
【００２２】
前記信号推定部１０５は、前記帯域拡散信号（ｓ１）を基準に前記衛星通信装置から受信された帯域拡散信号（ｓ’１）のパラメータを推定し、その推定されたパラメータを前記送信信号（ｕ１）に適用することにより、前記相手方端末から転送された受信信号（ｕ’１＋ｕ’２）に含まれた送信信号成分（ｕ’１）を推定する。すなわち、前記信号推定部１０５は、衛星通信装置により、遅延成分（ｄｅｌａｙ  ｔｉｍｅ）、周波数、位相、利得が反映された送信信号成分を推定する
【００２３】
前記信号除去部１０６は、前記相手方端末から転送された受信信号（ｕ’１＋ｕ’２）から前記利得調節された送信信号（ｕ’１）を相殺することにより、前記送信信号成分（ｕ’１）が除去された受信信号（ｕ’２）を前記復調部３００に出力する。
【００２４】
以下、本発明の実施形態による端末の信号復元装置１００の信号推定部の具体的な構成を図３を参照して説明する。
図３は、本発明の実施形態による信号推定部の具体的な構成を示す構成図である。
【００２５】
図３に示すように、前記信号推定部は、前記帯域拡散信号（ｓ１）を基準に前記衛星通信装置から受信された帯域拡散信号（ｓ’１）のパラメータを抽出するパラメータ抽出部と；前記パラメータ内の時間遅延値（ｄｅｌａｙ  ｔｉｍｅ）に応じ、前記送信信号（ｕ１）を遅延させる遅延モジュール（１０５−１）と；前記パラメータ内の周波数および位相オフセット値に応じ、前記遅れた送信信号（ｕ１）の周波数および位相を変調する変調モジュール（１０５−２）と；前記パラメータ内の利得に応じて前記周波数および衛星変調した送信信号（ｕ１）の利得を調節し、前記利得調節された送信信号を前記相手方端末から転送された受信信号（ｕ’１＋ｕ’２）に含まれた送信信号成分（ｕ’１）として出力する利得調節モジュール（１０５−３）とから構成される。
【００２６】
前記時間遅延値、周波数および位相オフセット値、利得を推定するためにＬＭＳ（Ｌｅａｓｔ−Ｍｅａｎ−Ｓｑｕａｒｅ）アルゴリズムを利用することもでき、基準信号に基づき、特定信号から遅延値、周波数および位相オフセット値、利得を推定する方法そのものは公知技術であるため、これに対する詳細な説明は省略する。
【００２７】
前記帯域拡散信号は周波数帯域の拡散を通じて帯域内干渉効果を最小化し、前記帯域拡散信号間の干渉がないように直交（ｏｒｔｈｏｇｏｎａｌ）構造（直交成分の信号）で構成することもできる。
したがって、本発明の実施形態による信号復元装置は、衛星通信装置を介して相手方端末から転送された受信信号から自身の送信信号を推定し、その推定した送信信号を除去することによって相手方端末の受信信号を復元する。
【００２８】
以下、本発明の実施形態による信号復元方法を図２および図４を参照して説明する。
図４は、本発明の実施形態による信号復元方法を示すフローチャートである。
先ず、前記変調部２００は、ユーザデータ（ユーザ１データ）を変調し、その変調した信号を前記送信部１０１に出力する。
【００２９】
前記送信部１０１は、前記変調した信号に基づいて前記送信信号（ｕ１）を発生し、その発生した送信信号（ｕ１）を前記衛星通信装置（衛星）に転送する（Ｓ１１）。
【００３０】
前記帯域拡散信号発生部１０２は、前記送信信号（ｕ１）が前記衛星通信装置を介して相手方端末から転送された受信信号（ｕ’１＋ｕ’２）に含まれて受信される時、前記受信信号（ｕ’１＋ｕ’２）に含まれた送信信号（ｕ’１）（送信信号成分）を推定するための帯域拡散信号（Ｄｉｒｅｃｔ  Ｓｅｑｕｅｎｃｅ方式）（ｓ１）を発生し、前記帯域拡散信号（ｓ１）を前記衛星通信装置に転送する（Ｓ１２）。
【００３１】
前記第１受信部１０３は、前記衛星通信装置から転送された帯域拡散信号（帯域拡散信号成分）（ｓ’１）を受信し（Ｓ１３）、その受信した帯域拡散信号（帯域拡散信号成分）（ｓ’１）を前記信号推定部１０５に出力する。
【００３２】
前記第２受信部１０４は、前記衛星通信装置を介して前記相手方端末から転送された受信信号（ｕ’１＋ｕ’２）を受信し（Ｓ１４）、前記受信した受信信号（ｕ’１＋ｕ’２）を前記信号除去部１０６に出力する。例えば、前記衛星通信装置を介して第１端末の送信信号と第２端末の第２送信信号の使用周波数帯域を共有することにより、前記第１端末の第１送信信号と前記第２端末の第２送信信号が互いに混ざるようになる。したがって、前記第１端末は、前記衛星通信装置を介して前記第２端末の第２送信信号を受信する時、自身の送信信号である第１送信信号を前記第２端末の第２送信信号と共に衛星通信装置を介して受信する。前記第２端末は、衛星通信装置を介して前記第１端末の第１送信信号を受信する時、自身の送信信号である第２送信信号を前記第１端末の第１送信信号と共に衛星通信装置を介して受信する。すなわち、各端末は、相手方端末の送信信号と自身の送信信号が混ざった歪曲された信号を衛星通信装置を介して受信するようになる。
【００３３】
前記信号推定部１０５は、前記送信信号（ｕ１）、前記帯域拡散信号（ｓ１）、前記衛星通信装置から受信された帯域拡散信号（ｓ’１）に基づき、前記衛星通信装置を介して前記相手方端末から転送された受信信号（ｕ’１＋ｕ’２）に含まれた送信信号（送信信号成分）（ｕ’１）を推定し（Ｓ１５）、その推定された送信信号（ｕ’１）を前記信号除去部１０６に出力する。例えば、前記信号推定部１０５は、前記帯域拡散信号（ｓ１）を基準に前記衛星通信装置から受信された帯域拡散信号（ｓ’１）のパラメータを推定し、その推定されたパラメータを前記送信信号（ｕ１）に適用することにより、前記相手方端末から転送された受信信号（ｕ’１＋ｕ’２）に含まれた送信信号成分（ｕ’１）を推定する。
【００３４】
前記信号除去部１０６は、前記相手方端末から転送された受信信号成分（ｕ’１＋ｕ’２）から前記信号推定部１０５によって推定された送信信号成分（ｕ’１）を除去することにより、前記相手方端末から転送された受信信号成分（ｕ’１＋ｕ’２）のうちの受信信号（ｕ’２）だけを前記復調部３００に出力する（Ｓ１６）。例えば、前記信号除去部１０６は、前記相手方端末から転送された受信信号（ｕ’１＋ｕ’２）から前記利得調節された送信信号（ｕ’１）を相殺することにより、前記送信信号成分（ｕ’１）が除去された受信信号（ｕ’２）を前記復調部３００に出力する。
【００３５】
したがって、本発明の実施形態による信号復元装置は、衛星通信装置を介して相手方端末から転送された受信信号から自身の送信信号を推定し、その推定した送信信号を除去することによって相手方端末の受信信号を復元する。
【００３６】
以上で説明したように、本発明の実施形態による信号復元装置およびその方法は、衛星通信装置を介して相手方端末から転送された受信信号から自身の送信信号を推定し、その推定した送信信号を除去することによって周波数帯域効率を増加させることができる。
【００３７】
本発明の実施形態による端末の信号復元装置は、衛星通信装置を介して相手方端末から転送された受信信号から自身の送信信号を推定し、その推定した送信信号を除去することによって相手方端末の受信信号を復元することもできる。
【００３８】
本発明が属する技術分野で通常の知識を有した者であれば、本発明の本質的な特性から逸脱しない範囲で様々な修正および変形が可能である。したがって、本発明に開示された実施形態は本発明の技術思想を限定するためのものでなく説明するためのものであって、このような実施形態によって本発明の技術思想の範囲が限定されるものではない。本発明の保護範囲は下記の請求範囲によって解釈すべきであり、これと同等な範囲内にある全ての技術思想は本発明の権利範囲に含まれると解釈しなければならない。
【符号の説明】
【００３９】
１０１    送信部
１０２    帯域拡散信号発生部
１０３    第１受信部
１０４    第２受信部
１０５    信号推定部
１０６    信号除去部
【図１】
0005323106.tif 000002
【図２】
0005323106.tif 000003
【図３】
0005323106.tif 000004
【図４】
0005323106.tif 000005